(57)【特許請求の範囲】
【請求項１】
筐体と、
前記筐体に取り付けられて原稿搬送路で搬送される原稿をガイドするガイド部材と、
前記筐体と前記ガイド部材との間の空間に設けられた集音部で集音した音に応じた音信号を出力する音信号出力部と、
前記ガイド部材に設けられ、前記原稿搬送路で発生した音を前記集音部へ導くための開口部と、
前記集音部に気流を送って前記集音部を清掃するために前記筐体と前記ガイド部材との間の前記空間の内外を連通する通気路と、
前記ガイド部材に設けられ、前記通気路から導入された気流を排気するための排気口と、を有し、
前記開口部と前記排気口が兼用されている、
ことを特徴とする原稿搬送装置。
【請求項２】
前記通気路は、前記集音部よりも前記原稿搬送路の上流に設けられることを特徴とする請求項１に記載の原稿搬送装置。
【請求項３】
前記排気口は、前記集音部よりも前記原稿搬送路の下流に設けられることを特徴とする請求項１又は２に記載の原稿搬送装置。
【請求項４】
前記排気口は、前記原稿搬送路の原稿幅より外側に設けられることを特徴とする請求項３に記載の原稿搬送装置。
【請求項５】
前記通気路から導入された前記気流の向きを、前記排気口に向かわせる整流部材を備えることを特徴とする請求項３又は４に記載の原稿搬送装置。
【請求項６】
前記開口部は、前記ガイド部材において、前記集音部に対向した位置よりも前記原稿搬送路の下流に設けられている、請求項１〜５の何れか一項に記載の原稿搬送装置。
【請求項７】
前記通気路に連通する通気口が前記筐体の外面に設けられることを特徴とする請求項１〜６のいずれか一項に記載の原稿搬送装置。
【発明の詳細な説明】
【技術分野】
【０００１】
本発明は、原稿搬送装置に関し、特に搬送路で発生する音を検知するセンサを備える原稿搬送装置に関する。
【背景技術】
【０００２】
画像読取装置、画像複写装置等の原稿搬送装置では、原稿が搬送路を移動する際にジャムが発生する場合がある。原稿搬送装置には、原稿の搬送を開始してから所定時間内に搬送路内の所定位置まで原稿が搬送されたか否かによりジャムが発生したか否かを判定し、ジャムが発生したときには装置の動作を停止する機能を備えるものがある。
【０００３】
ジャムの検出に関する技術として、用紙搬送経路近傍に設けられた音響電気信号変換手段と、前記音響電気信号変換手段の出力を基準レベルと比較し、前記出力が基準レベルを超えている間中パルス信号を発生するレベル検出器と、レベル検出器からのパルス信号の持続時間を基準値と比較するパルス幅検出器を具備する複写機のジャム検出装置が知られている（特許文献１を参照）。
【先行技術文献】
【特許文献】
【０００４】
【特許文献１】特開昭５７−１６９７６７号公報
【発明の概要】
【発明が解決しようとする課題】
【０００５】
ジャムが発生すると搬送路で大きな音が発生する。このため、搬送路で発生する音を検知するセンサを設けることにより、ジャムの発生を検出できる可能性がある。しかし、紙粉や塵埃などの異物がセンサに付着又は侵入するとセンサの故障や感度劣化が生じる恐れがある。
【０００６】
本発明は、搬送路で発生する音を検知するセンサへの異物の付着及び侵入を軽減することを目的とする。
【課題を解決するための手段】
【０００７】
本発明の一側面に係る原稿搬送装置は、筐体と、筐体に取り付けられて原稿搬送路で搬送される原稿をガイドするガイド部材と、筐体とガイド部材との間の空間に設けられた集音部で集音した音に応じた音信号を出力する音信号出力部と、集音部に気流を送って集音部を清掃するために筐体とガイド部材との間の空間の内外を連通する通気路を備える。
【発明の効果】
【０００８】
本発明によれば、搬送路で発生する音を検知する集音部への異物の付着及び侵入が軽減される。
【図面の簡単な説明】
【０００９】
【図１】原稿搬送装置１００を示す斜視図である。
【図２】原稿搬送装置１００内部の搬送路を説明するための図である。
【図３】図２のＡ部分の拡大図である。
【図４】上側筐体１０２を下方から見た図である。
【図５】上側筐体１０２が開かれた状態の斜視図である。
【図６】上側筐体１０２が開かれ、ガイド部材１０７ｃが取り外された状態の斜視図である。
【図７】図６のＢ部分の拡大図である。
【図８】第１マイクロフォン１２３ａ付近の清掃前の状態の模式図である。
【図９】第１マイクロフォン１２３ａ付近の清掃時の状態の一例の模式図である。
【図１０】第１マイクロフォン１２３ａ付近の清掃時の状態の他の例の模式図である。
【図１１】開口部１１０ａの配置位置の例を説明するための図である。
【図１２Ａ】音孔１４２と対向する領域を説明するための図である。
【図１２Ｂ】音孔１４２と対向する領域を説明するための図である。
【図１３Ａ】排気口１１４ａの配置位置の例を説明するための図である。
【図１３Ｂ】排気口１１４ａの配置位置の例を説明するための図である。
【図１４】原稿搬送装置１００の概略構成を示すブロック図である。
【発明を実施するための形態】
【００１０】
以下、本発明の一側面に係る原稿搬送装置について図を参照しつつ説明する。但し、本発明の技術的範囲はそれらの実施の形態に限定されず、特許請求の範囲に記載された発明とその均等物に及ぶ点に留意されたい。
【００１１】
図１は、イメージスキャナとして構成された原稿搬送装置１００を示す斜視図である。原稿搬送装置１００は、下側筐体１０１、上側筐体１０２、原稿台１０３、排出台１０５及び操作ボタン１０６等を備える。
【００１２】
下側筐体１０１及び上側筐体１０２は、樹脂材料で形成される。上側筐体１０２は、原稿搬送装置１００の上面を覆う位置に配置され、原稿詰まりの発生時や原稿搬送装置１００内部の清掃時等に、開閉可能なようにヒンジにより下側筐体１０１に係合している。
【００１３】
原稿台１０３は、原稿を載置可能に下側筐体１０１に係合している。原稿台１０３には、原稿の搬送方向と直行する方向、すなわち原稿の搬送方向に対して左右方向に移動可能なサイドガイド１０４ａ及び１０４ｂが設けられている。サイドガイド１０４ａ及び１０４ｂを原稿の幅に合わせて位置決めすることにより原稿の幅方向を規制することができる。
【００１４】
排出台１０５は、矢印Ａ１で示す方向に回転可能なように、ヒンジにより下側筐体１０１に係合しており、図１のように開いている状態では排出された原稿を保持できる。操作ボタン１０６は、上側筐体１０２の表面に配置され、押下されると操作検出信号を生成して出力する。
【００１５】
図２は、原稿搬送装置１００内部の搬送路を説明するための図である。原稿搬送装置１００内部の搬送路には、第１原稿検出部１２０、給紙ローラ１２１ａ、１２１ｂ、リタードローラ１２２ａ、１２２ｂ、第１マイクロフォン１２３ａ、第２マイクロフォン１２３ｂ、第２原稿検出部１２４が設けられる。また、原稿搬送装置１００内部の搬送路には、超音波送信器１２５ａ、超音波受信器１２５ｂ、第１搬送ローラ１２６ａ、１２６ｂ、第１従動ローラ１２７ａ、１２７ｂ、第３原稿検出部１２８、第１撮像部１２９ａ、第２撮像部１２９ｂが設けられる。さらに、原稿搬送装置１００内部の搬送路には、第２搬送ローラ１３０ａ、１３０ｂ及び第２従動ローラ１３１ａ、１３１ｂ等が設けられる。
【００１６】
以下では、給紙ローラ１２１ａ及び１２１ｂを総じて給紙ローラ１２１と称し、リタードローラ１２２ａ及び１２２ｂを総じてリタードローラ１２２と称し、第１搬送ローラ１２６ａ及び１２６ｂを総じて第１搬送ローラ１２６と称する場合がある。また、第１従動ローラ１２７ａ及び１２７ｂを総じて第１従動ローラ１２７と称し、第２搬送ローラ１３０ａ及び１３０ｂを総じて第２搬送ローラ１３０と称し、第２従動ローラ１３１ａ及び１３１ｂを総じて第２従動ローラ１３１と称する場合がある。
【００１７】
下側筐体１０１の上面は原稿の搬送路の下側ガイド１０７ａを形成し、上側筐体１０２の下面は原稿の搬送路の上側ガイド１０７ｂを形成する。図２において矢印Ａ２は原稿の搬送方向を示す。以下では、上流とは原稿の搬送方向Ａ２の上流のことをいい、下流とは原稿の搬送方向Ａ２の下流のことをいう。
【００１８】
第１原稿検出部１２０は、給紙ローラ１２１及びリタードローラ１２２の上流側に配置される接触検出センサを有し、原稿台１０３に原稿が載置されているか否かを検出する。第１原稿検出部１２０は、原稿台１０３に原稿が載置されている状態と載置されていない状態とで信号値が変化する第１原稿検出信号を生成して出力する。
【００１９】
第１マイクロフォン１２３ａ及び第２マイクロフォン１２３ｂは、それぞれ原稿が搬送中に発生する音を集音し、集音した音から生成したアナログ信号を出力する。第１マイクロフォン１２３ａ及び第２マイクロフォン１２３ｂは、上側筐体１０２を成形して形成される、上側筐体１０２内部のフレーム１０８に固定されて配置される。第１マイクロフォン１２３ａ及び第２マイクロフォン１２３ｂの配置位置は、例えば、給紙ローラ１２１及びリタードローラ１２２の下流側であってよい。
【００２０】
第１マイクロフォン１２３ａ及び第２マイクロフォン１２３ｂと搬送路との間には、搬送路の上側のガイドとして働くガイド部材１０７ｃが設けられる。すなわち、第１マイクロフォン１２３ａ及び第２マイクロフォン１２３ｂは、フレーム１０８とガイド部材１０７ｃとに囲まれた空間１０９の内部に設けられる。
【００２１】
第２原稿検出部１２４は、給紙ローラ１２１及びリタードローラ１２２の下流側、かつ第１搬送ローラ１２６及び第１従動ローラ１２７の上流側に配置される接触検出センサを有し、その位置に原稿が存在するか否かを検出する。第２原稿検出部１２４は、その位置に原稿が存在する状態と存在しない状態とで信号値が変化する第２原稿検出信号を生成して出力する。
【００２２】
超音波送信器１２５ａ及び超音波受信器１２５ｂは、超音波信号出力部の例であり、原稿の搬送路の近傍に、搬送路を挟んで対向するように配置される。超音波送信器１２５ａは超音波を送信する。一方、超音波受信器１２５ｂは、超音波送信器１２５ａにより送信され、原稿を通過した超音波を検出し、検出した超音波に応じた電気信号である超音波信号を生成して出力する。以下では、超音波送信器１２５ａ及び超音波受信器１２５ｂを総じて超音波センサ１２５と称する場合がある。
【００２３】
第３原稿検出部１２８は、第１搬送ローラ１２６及び第１従動ローラ１２７の下流側、かつ第１撮像部１２９ａ及び第２撮像部１２９ｂの上流側に配置される接触検出センサを有し、その位置に原稿が存在するか否かを検出する。第３原稿検出部１２８は、その位置に原稿が存在する状態と存在しない状態とで信号値が変化する第３原稿検出信号を生成して出力する。
【００２４】
第１撮像部１２９ａは、主走査方向に直線状に配列されたＣＭＯＳ（Complementary Metal Oxide Semiconductor）による撮像素子を備える等倍光学系形式のＣＩＳ（Contact Image Sensor）を有する。このＣＩＳは、原稿の裏面を読み取ってアナログの画像信号を生成して出力する。同様に、第２撮像部１２９ｂは、主走査方向に直線状に配列されたＣＭＯＳによる撮像素子を備える等倍光学系形式のＣＩＳを有する。このＣＩＳは、原稿の表面を読み取ってアナログの画像信号を生成して出力する。なお、第１撮像部１２９ａ及び第２撮像部１２９ｂを一方だけ配置し、原稿の片面だけを読み取るようにしてもよい。また、ＣＩＳの代わりにＣＣＤ（Charge Coupled Device）による撮像素子を備える縮小光学系形式の撮像センサを利用することもできる。以下では、第１撮像部１２９ａ及び第２撮像部１２９ｂを総じて撮像部１２９と称する場合がある。
【００２５】
原稿台１０３に載置された原稿は、給紙ローラ１２１が図２の矢印Ａ３の方向に回転することによって、下側ガイド１０７ａと上側ガイド１０７ｂの間を原稿搬送方向Ａ２に向かって搬送される。同様に、原稿は、下側ガイド１０７ａとガイド部材１０７ｃの間を原稿搬送方向Ａ２に向かって搬送される。
【００２６】
リタードローラ１２２は、原稿搬送時、図２の矢印Ａ４の方向に回転する。給紙ローラ１２１及びリタードローラ１２２の働きにより、原稿台１０３に複数の原稿が載置されている場合、原稿台１０３に載置されている原稿のうち給紙ローラ１２１と接触している原稿のみが分離されて、分離された原稿以外の原稿の搬送が制限される。給紙ローラ１２１及びリタードローラ１２２は、原稿の分離部として機能する。
【００２７】
原稿は、下側ガイド１０７ａと上側ガイド１０７ｂとガイド部材１０７ｃによりガイドされながら、第１搬送ローラ１２６と第１従動ローラ１２７の間に送り込まれる。原稿は、第１搬送ローラ１２６が図２の矢印Ａ５の方向に回転することによって、第１撮像部１２９ａと第２撮像部１２９ｂの間に送り込まれる。撮像部１２９により読み取られた原稿は、第２搬送ローラ１３０が図２の矢印Ａ６の方向に回転することによって排出台１０５上に排出される。
【００２８】
図３は、第１マイクロフォン１２３ａが設けられている図２のＡ部分の拡大図である。以下、第１マイクロフォン１２３ａとその周辺の構造について説明するが、第２マイクロフォン１２３ｂの場合も同様である。
【００２９】
第１マイクロフォン１２３ａは、基板１４０と、この基板１４０に電気的に接続されたマイクロフォン素子１４１を有する。マイクロフォン素子１４１は、例えばMEMS(Micro Electro Mechanical Systems) MEMSマイクロフォン素子や、エレクトレットコンデンサーマイクロホン(ECM: Electret Condenser Microphone)マイクロフォン素子であってよい。マイクロフォン素子１４１は、基板との接続面と反対側の面に設けられた音孔１４２の位置で集音された音を電気信号に変換する。音孔１４２は集音部に相当する。
【００３０】
第１マイクロフォン１２３ａは上側筐体１０２のフレーム１０８に固定され、音孔１４２が設けられた面の法線は斜め下方に向く。このため、音孔１４２やその周囲への異物の堆積が軽減される。
【００３１】
マイクロフォン素子１４１の、音孔１４２が設けられた面には、音孔１４２を覆うように織布１４３が設けられる。織布１４３は、例えば通気性の良好なクロスメッシュであってよい。織布１４３は防塵部材としての役割を果たすことにより、マイクロフォン素子１４１内部への異物の侵入を低減する。他の実施例では、織布１４３の代わりに不織布を用いてもよいが、不織布よりも織布１４３を用いた方がマイクロフォン素子１４１の音響性能がより均一になる。
【００３２】
第１マイクロフォン１２３ａは、織布１４３をマイクロフォン素子１４１に押しつけるためのキャップ部材１４４を備える。キャップ部材１４４の材料は、例えばシリコンゴムであってよい。第１マイクロフォン１２３ａの組立時に、キャップ部材１４４は２つの異なる向きで基板１４０に取り付けることができる。キャップ部材１４４には２つの貫通穴１４５ａ及び１４５ｂが設けられている。キャップ部材１４４が２つの異なる向きのどちらで基板１４０に取り付けられても、貫通穴１４５ａ及び１４５ｂのどちらか一方が音孔１４２と位置合わせされる。本実施例では、貫通穴１４５ａと音孔１４２とが位置合わせされている。
【００３３】
ガイド部材１０７ｃは、第１マイクロフォン１２３ａに対向する面を有する。第１マイクロフォン１２３ａによる集音がより容易になるように、ガイド部材１０７ｃに開口部１１０ａが設けられる。
【００３４】
ガイド部材１０７ｃに設けられた開口部１１０ａは、第１マイクロフォン１２３ａの位置からずらされた位置に設けられている。例えば、開口部１１０ａは、第１マイクロフォン１２３ａの音孔１４２すなわち集音部の位置からずらされた位置に設けられている。図３の例では、開口部１１０ａは音孔１４２の位置より搬送方向の下流に設けられる。
【００３５】
開口部１１０ａの位置と第１マイクロフォン１２３ａの位置とをずらすことにより、開口部１１０ａから侵入した異物が第１マイクロフォン１２３ａへ到達しにくくなる。また、空気噴射による清掃の際に、開口部１１０ａに噴射させた高圧空気が第１マイクロフォン１２３ａに直接当たって第１マイクロフォン１２３ａが破損するのを防ぐことができる。
【００３６】
また、開口部１１０ａから侵入する紙粉や塵埃などの異物は、搬送路での原稿の搬送に伴って発生する上流から下流への空気の流れによって、開口部１１０ａよりも下流に流されやすい。開口部１１０ａを音孔１４２や貫通穴１４５ａよりも下流に設けることにより、音孔１４２や貫通穴１４５ａへの異物の付着や堆積が低減できる。
【００３７】
また、上側筐体１０２を閉じた状態において、ガイド部材１０７ｃは水平面に対して傾斜している。このため、ガイド部材１０７ｃの内側の面、すなわち第１マイクロフォン１２３ａに対向する面の上に、開口部１１０ａから侵入した異物が堆積しにくくなる。
【００３８】
第１マイクロフォン１２３ａが配置される、フレーム１０８とガイド部材１０７ｃとの間の空間１０９には、空間１０９の内外を連通する通気路１１１ａが設けられる。通気路１１１ａの外側の入口である通気口１１２ａは、上側筐体１０２の外面に設けられる。通気口１１２ａには開閉可能な蓋体１１３ａが設けられる。
【００３９】
原稿搬送装置１００の清掃時には、蓋体１１３ａを開けて通気口１１２ａから、スプレー缶などから噴射させた高圧空気による気流を空間１０９に送り込んで、音孔１４２や貫通穴１４５ａ付近の異物を吹き飛ばす。原稿搬送装置１００の清掃については後述する。
【００４０】
ガイド部材１０７ｃには、通気路１１１ａから送り込まれた気流を排気するための排気口１１４ａが設けられている。ガイド部材１０７ｃやフレーム１０８には、通気路１１１ａから送り込まれた気流を排気口１１４ａへ導く整流材１１５ａ及び１１６ａが設けられていてもよい。
【００４１】
図４は、上側筐体１０２を下側から見た図である。第１マイクロフォン１２３ａ及び第２マイクロフォン１２３ｂは、一点鎖線２００で示した装置中心を挟むように、装置中心２００から原稿搬送方向Ａ２と直交する方向にずれた位置に設けられている。第１マイクロフォン１２３ａ及び第２マイクロフォン１２３ｂの上流側には、それぞれ通気口１１２ａ及び１１２ｂが設けられる。
【００４２】
第１マイクロフォン１２３ａの下流側には開口部１１０ａと排気口１１４ａが設けられ、第２マイクロフォン１２３ｂの下流側には開口部１１０ｂと排気口１１４ｂが設けられる。破線Ｌ１及びＬ２は、定格の最大幅の原稿が搬送路を搬送される場合における、搬送原稿が通る範囲Ｒの幅方向の両端位置を示す。本実施例では、搬送原稿が通る範囲Ｒの内側に、通気口１１２ａ及び１１２ｂ、開口部１１０ａ及び１１０ｂ、並びに排気口１１４ａ及び１１４ｂが設けられている。
【００４３】
図５は、上側筐体１０２が開かれた状態の斜視図であり、図６は、さらにガイド部材１０７ｃが取り外された状態を示す図である。図５及び図６を用いて、上側筐体１０２への第１マイクロフォン１２３ａ及び第２マイクロフォン１２３ｂの取り付け位置の一例を説明する。上述の通り、下側筐体１０１の上面は原稿の搬送路の下側ガイド１０７ａを形成し、上側筐体１０２の下面は原稿の搬送路の上側ガイド１０７ｂを形成する。また、ガイド部材１０７ｃは、リタードローラ１２２の下流側に取り付けられ、搬送路の上側のガイドとして機能する。
【００４４】
第１マイクロフォン１２３ａ及び第２マイクロフォン１２３ｂは、ガイド部材１０７ｃの奥に設けられている。図５において、第１マイクロフォン１２３ａ及び第２マイクロフォン１２３ｂの位置を破線で示し、通気口１１２ａ及び１１２ｂ、開口部１１０ａ及び１１０ｂ、並びに排気口１１４ａ及び１１４ｂの位置を実線で示す。図６のようにガイド部材１０７ｃが取り外されると、第１マイクロフォン１２３ａ及び第２マイクロフォン１２３ｂが露出する。
【００４５】
図７は、第１マイクロフォン１２３ａが取り付けられている図５のＢ部分の拡大図である。ここでは、上側筐体１０２への第１マイクロフォン１２３ａの固定手段の一例を説明する。
【００４６】
第１マイクロフォン１２３ａの基板１４０には位置決め用の切欠１４６が設けられている。一方で、上側筐体１０２内部のフレーム１０８には、位置決め用の突起１４７と、爪部１４８及び１４９が設けられている。切欠１４６へ突起１４７を挿入した状態で、爪部１４８及び１４９で基板１４０を係止することにより、第１マイクロフォン１２３ａは上側筐体１０２へ固定される。第２マイクロフォン１２３ｂの固定も同様であってよい。
【００４７】
図８は、第１マイクロフォン１２３ａ付近の清掃前の状態の模式図である。原稿搬送装置１００の使用中は、通気口１１２ａは蓋体１１３ａによって閉じられている。音孔１４２や貫通穴１４５ａには、開口部１１０ａやその他の部分から侵入した紙粉や塵埃などの異物が付着している。
【００４８】
図９は、第１マイクロフォン１２３ａ付近の清掃時の状態の一例の模式図である。清掃時は、蓋体１１３ａを開け、スプレー缶５００などから噴射させた高圧空気による気流５０１を通気口１１２ａから送り込む。気流５０１は、通気路１１１ａを通って空間１０９内の第１マイクロフォン１２３ａへ至り、音孔１４２や貫通穴１４５ａ付近の異物を吹き飛ばす。
【００４９】
通気口１１２ａから送り込まれた気流５０１によって流された異物は、音孔１４２や貫通穴１４５ａよりも下流に飛ばされる。ここで、空間１０９内の異物は、搬送路での原稿の搬送に伴って発生する上流から下流への空気の流れによって下流に流されやすい。したがって、音孔１４２や貫通穴１４５ａよりも下流に飛ばされた異物は、搬送路での原稿の搬送に伴って流されても、より上流にある音孔１４２や貫通穴１４５ａに再度付着しにくい。
【００５０】
通気口１１２ａから送り込まれた気流５０１は、ガイド部材１０７ｃに設けられた排気口１１４ａを通って空間１０９の外部に排気される。排気口１１４ａを音孔１４２や貫通穴１４５ａよりも下流に設けることにより、通気口１１２ａから送り込まれた気流５０１によって音孔１４２や貫通穴１４５ａから離れた異物を、空間１０９の外に排出しやすくなる。
【００５１】
また、排気口１１４ａを音孔１４２や貫通穴１４５ａよりも下流に設けることにより、排気口１１４ａから侵入する異物が、音孔１４２や貫通穴１４５ａへ付着又は堆積しにくくなる。
【００５２】
本実施例では、排気口１１４ａは開口部１１０ａよりも下流に設けられている。このため、開口部１１０ａ付近に異物が付着していても、通気口１１２ａから送り込まれた気流５０１によって開口部１１０ａから離されて、排気口１１４ａを通って空間１０９の外に排出される。また、排気口１１４ａから侵入する異物も、開口部１１０ａ付近に付着又は堆積しにくくなる。このように、第１マイクロフォン１２３ａによる集音のために設けられた開口部１１０ａ付近への異物の付着や堆積が軽減される。
【００５３】
図１０は、第１マイクロフォン１２３ａ付近の清掃時の状態の他の例の模式図である。通気口１１２ａから送り込まれた気流５０２は、開口部１１０ａから空間１０９の外部へ排気してもよい。開口部１１０ａは、音孔１４２や貫通穴１４５ａよりも下流に設けられているため、気流５０２によって音孔１４２や貫通穴１４５ａから離れた異物を、開口部１１０ａを通して空間１０９の外に排出することができる。開口部１１０ａを気流５０２の排気に使用する場合には排気口１１４ａを省略してもよい。
【００５４】
図１１は、ガイド部材１０７ｃに設けられた開口部１１０ａの配置位置の例の説明図である。以下、第１マイクロフォン１２３ａと開口部１１０ａとの間の位置関係を説明するが、第２マイクロフォン１２３ｂと開口部１１０ｂとの間の位置関係も同様であってよい。
【００５５】
上側筐体１０２に第１マイクロフォン１２３ａ及びガイド部材１０７ｃが取り付けられた状態における第１マイクロフォン１２３ａと、キャップ部材１４４の貫通穴１４５ａ及び１４５ｂの位置が破線で示されている。なお、上述の通り、マイクロフォン素子１４１に設けられた音孔１４２は貫通穴１４５ａと位置合わせされている。
【００５６】
図１１の配置例では、開口部１１０ａは、貫通穴１４５ａより搬送方向Ａ２の下流に設けられており、開口部１１０ａの位置は、マイクロフォン素子１４１に設けられた音孔１４２と対向する領域２０１からずれている。
【００５７】
図１２Ａ及び図１２Ｂは、音孔１４２と対向する領域２０１の説明図である。音孔１４２と対向する領域２０１とは、ガイド部材１０７ｃに垂直に、音孔１４２を投影させた領域である。すなわち、音孔１４２の縁上の各点からガイド部材１０７ｃに各々垂らした垂直の足によって囲まれる領域である。
【００５８】
なお、図１１の例において、一点鎖線で示した装置中心２００と開口部１１０ａとの間隔と、装置中心２００と領域２０１との間隔は略同一である。すなわち、搬送方向Ａ２に直交する用紙幅方向２０２における開口部１１０ａと領域２０１の位置は略同一である。
【００５９】
図１３Ａは、排気口１１４ａの配置位置の一例を説明するための図である。以下、排気口１１４ａの配置位置について説明するが、排気口１１４ｂの場合も同様である。通気口１１２ａと装置中心２００との間隔Ｄ１と、貫通穴１４５ａと装置中心２００との間隔Ｄ２と、排気口１１４ａと装置中心２００との間隔Ｄ３は、略同一であってよい。
【００６０】
すなわち、搬送方向Ａ２に直交する用紙幅方向２０２における通気口１１２ａと貫通穴１４５ａと排気口１１４ａの位置は略同一であり、略直線状に並べられている。通気口１１２ａと貫通穴１４５ａと排気口１１４ａが略直線状に並べられることにより、通気口１１２ａから送り込まれ、貫通穴１４５ａ付近の異物を吹き飛ばして排気口１１４ａから排出される気流の流れをスムーズにすることができる。
【００６１】
図１３Ｂは、排気口１１４ａの配置位置の他の例を説明するための図である。排気口１１４ａと装置中心２００との間隔Ｄ３は、通気口１１２ａと装置中心２００との間隔Ｄ１や貫通穴１４５ａと装置中心２００との間隔Ｄ２と異なっていてもよい。例えば、排気口１１４ａは、装置中心２００から見て、定格の最大幅の原稿が搬送路を通る範囲Ｒの外側に設けられていてもよい。搬送原稿が通る範囲Ｒの外側に排気口１１４ａを設けることにより、排気口１１４ａに原後端が引っかかるジャムを防ぐことができる。
【００６２】
図１４は、原稿搬送装置１００の概略構成を示すブロック図である。原稿搬送装置１００は、前述した構成に加えて、第１画像Ａ／Ｄ変換部５４０ａ、第２画像Ａ／Ｄ変換部５４０ｂ、第１音信号出力部５４１ａ、第２音信号出力部５４１ｂ、駆動部５４５、インターフェース部５４６、記憶部５４７及び中央処理部５５０等をさらに有する。
【００６３】
第１画像Ａ／Ｄ変換部５４０ａは、第１撮像部１２９ａから出力されたアナログの画像信号をアナログデジタル変換してデジタルの画像データを生成し、中央処理部５５０に出力する。同様に、第２画像Ａ／Ｄ変換部５４０ｂは、第２撮像部１２９ｂから出力されたアナログの画像信号をアナログデジタル変換してデジタルの画像データを生成し、中央処理部５５０に出力する。以下、これらのデジタルの画像データを読取画像と称する。
【００６４】
第１音信号出力部５４１ａは、第１マイクロフォン１２３ａ、第１フィルタ部５４２ａ、第１増幅部５４３ａ及び第１音Ａ／Ｄ変換部５４４ａ等を含んでいる。第１フィルタ部５４２ａは、第１マイクロフォン１２３ａから出力された信号に対して、予め定められた周波数帯域の信号を通過させるバンドパスフィルタを適用し、第１増幅部５４３ａに出力する。第１増幅部５４３ａは、第１フィルタ部５４２ａから出力された信号を増幅させて第１音Ａ／Ｄ変換部５４４ａに出力する。第１音Ａ／Ｄ変換部５４４ａは、第１増幅部５４３ａから出力されたアナログの信号をデジタルの第１原信号に変換し、中央処理部５５０に出力する。
【００６５】
第２音信号出力部５４１ｂは、第２マイクロフォン１２３ｂ、第２フィルタ部５４２ｂ、第２増幅部５４３ｂ及び第２音Ａ／Ｄ変換部５４４ｂ等を含んでいる。第２フィルタ部５４２ｂは、第２マイクロフォン１２３ｂから出力された信号に対して、予め定められた周波数帯域の信号を通過させるバンドパスフィルタを適用し、第２増幅部５４３ｂに出力する。第２増幅部５４３ｂは、第２フィルタ部５４２ｂから出力された信号を増幅させて第２音Ａ／Ｄ変換部５４４ｂに出力する。第２音Ａ／Ｄ変換部５４４ｂは、第２増幅部５４３ｂから出力されたアナログの信号をデジタルの第２原信号に変換し、中央処理部５５０に出力する。
【００６６】
駆動部５４５は、１つ又は複数のモータを含み、中央処理部５５０からの制御信号によって、給紙ローラ１２１、リタードローラ１２２、第１搬送ローラ１２６及び第２搬送ローラ１３０を回転させて原稿の搬送動作を行う。
【００６７】
インターフェース部５４６は、例えばＵＳＢ等のシリアルバスに準じるインターフェース回路を有し、不図示の情報処理装置（例えば、パーソナルコンピュータ、携帯情報端末等）と電気的に接続して読取画像及び各種の情報を送受信する。また、インターフェース部５４６にフラッシュメモリ等を接続して読取画像を保存するようにしてもよい。
【００６８】
記憶部５４７は、ＲＡＭ（Random Access Memory）、ＲＯＭ（Read Only Memory）等のメモリ装置、ハードディスク等の固定ディスク装置、又はフレキシブルディスク、光ディスク等の可搬用の記憶装置等を有する。また、記憶部５４７には、原稿搬送装置１００の各種処理に用いられるコンピュータプログラム、データベース、テーブル等が格納される。コンピュータプログラムは、例えばＣＤ−ＲＯＭ（compact disk read only memory）、ＤＶＤ−ＲＯＭ（digital versatile disk read only memory）等のコンピュータ読み取り可能な可搬型記録媒体から、公知のセットアッププログラム等を用いて記憶部５４７にインストールされてもよい。さらに、記憶部５４７には、読取画像が格納される。
【００６９】
中央処理部５５０は、ＣＰＵ（Central Processing Unit）を備え、予め記憶部５４７に記憶されているプログラムに基づいて動作する。なお、中央処理部５５０は、ＤＳＰ（digital signal processor）、ＬＳＩ（large scale integration）、ＡＳＩＣ（Application Specific Integrated Circuit）、ＦＰＧＡ（Field-Programming Gate Array）等で構成されてもよい。
【００７０】
中央処理部５５０は、操作ボタン１０６、第１原稿検出部１２０、第２原稿検出部１２４、超音波センサ１２５、第３原稿検出部１２８、第１撮像部１２９ａ、第２撮像部１２９ｂ、第１画像Ａ／Ｄ変換部５４０ａ、第２画像Ａ／Ｄ変換部５４０ｂ、第１音信号出力部５４１ａ、第２音信号出力部５４１ｂ、駆動部５４５、インターフェース部５４６及び記憶部５４７と接続され、これらの各部を制御する。
【００７１】
中央処理部５５０は、駆動部５４５の駆動制御、撮像部１２９の原稿読取制御等を行い、読取画像を取得する。また、中央処理部５５０は、制御部５５１、画像生成部５５２、音ジャム判定部５５３、位置ジャム判定部５５４及び重送判定部５５５等を有する。これらの各部は、プロセッサ上で動作するソフトウェアにより実装される機能モジュールである。なお、これらの各部は、それぞれ独立した集積回路、マイクロプロセッサ、ファームウェア等で構成されてもよい。
【００７２】
音ジャム判定部５５３は、音ジャム判定処理を実施する。音ジャム判定部５５３は、音ジャム判定処理において、第１音信号出力部５４１ａから取得した第１原信号と第２音信号出力部５４１ｂから取得した第２原信号とに基づいてジャムが発生したか否かを判定する。以下、音ジャム判定部５５３が各原信号に基づいて発生の有無を判定するジャムのことを音ジャムと称する場合がある。
【００７３】
位置ジャム判定部５５４は、位置ジャム判定処理を実施する。位置ジャム判定部５５４は、位置ジャム判定処理において、第２原稿検出部１２４から取得した第２原稿検出信号と、第３原稿検出部１２８から取得した第３原稿検出信号とに基づいてジャムが発生したか否かを判定する。以下、位置ジャム判定部５５４が第２原稿検出信号及び第３原稿検出信号に基づいて発生の有無を判定するジャムのことを位置ジャムと称する場合がある。
【００７４】
重送判定部５５５は、重送判定処理を実施する。重送判定部５５５は、重送判定処理において、超音波センサ１２５から取得した超音波信号に基づいて原稿の重送が発生したか否かを判定する。
【００７５】
制御部５５１は、原稿搬送処理に異常が発生したか否かを判定する。制御部５５１は、音ジャム、位置ジャム及び原稿の重送のうちの少なくとも一つが発生した場合、異常が発生したと判定する。原稿搬送処理に異常が発生した場合、制御部５５１は、異常発生フラグをＯＮに設定する。
【００７６】
異常発生フラグがＯＮである場合、制御部５５１は、異常処理として、駆動部５４５を停止して、原稿の搬送を停止させるとともに、不図示のスピーカ、ＬＥＤ（Light Emitting Diode）等により、異常が発生したことを利用者に通知し、異常発生フラグをＯＦＦに設定する。
【００７７】
異常判定フラグがＯＮでない場合、画像生成部５５２は、搬送された原稿を第１撮像部１２９ａ及び第２撮像部１２９ｂに読み取らせ、第１画像Ａ／Ｄ変換部５４０ａ及び第２画像Ａ／Ｄ変換部５４０ｂを介して読取画像を取得する。中央処理部５５０は、取得した読取画像をインターフェース部５４６を介して不図示の情報処理装置へ送信する。なお、情報処理装置と接続されていない場合、中央処理部５５０は、取得した読取画像を記憶部５４７に記憶しておく。
【００７８】
本実施例によれば、第１マイクロフォン１２３ａ及び第２マイクロフォン１２３ｂが設けられる空間１０９内外を連通する通気口が設けられる。これにより、清掃時に、空間１０９に気流を送り込んで第１マイクロフォン１２３ａ及び第２マイクロフォン１２３ｂ付近に付着した異物を吹き飛ばすことが容易になる。このため、第１マイクロフォン１２３ａ及び第２マイクロフォン１２３ｂへの異物の付着及び侵入が軽減される。
【００７９】
通気路１１１ａが第１マイクロフォン１２３ａ及び第２マイクロフォン１２３ｂの音孔１４２や貫通穴１４５ａよりも上流に設けられることにより、音孔１４２や貫通穴１４５ａから吹き飛ばされた異物は下流に流れる。空間１０９内の異物は、原稿の搬送に伴って下流に流されやすいため、音孔１４２や貫通穴１４５ａに再付着しにくくなる。
【００８０】
音孔１４２や貫通穴１４５ａよりも下流に排気口１１４ａを設けることにより、音孔１４２や貫通穴１４５ａから飛ばされた異物を、空間１０９から排出しやすくなる。開口部１１０ａよりも下流に排気口１１４ａを設けることにより、開口部１１０ａに堆積していた異物も、排気口１１４ａから排出しやすくなる。
【符号の説明】
【００８１】
１００    原稿搬送装置
１０１    下側筐体
１０２    上側筐体
１０７ａ    下側ガイド
１０７ｂ    上側ガイド
１０７ｃ    ガイド部材
１０８    フレーム
１１０ａ、１１０ｂ    開口部
１１１ａ    通気路
１１２ａ、１１２ｂ    通気口
１１３ａ    蓋体
１１４ａ、１１４ｂ    排気口
１１５ａ、１１６ａ    整流部材
１２３ａ    第１マイクロフォン
１２３ｂ    第２マイクロフォン
【要約】
【課題】搬送路で発生する音を検知するセンサへの異物の付着及び侵入を軽減する。
【解決手段】原稿搬送装置１００は、筐体１０２と、筐体１０２に取り付けられて原稿搬送路で搬送される原稿をガイドするガイド部材１０７ｃと、筐体１０２とガイド部材１０７ｃとの間の空間に設けられた集音部１４２で集音した音に応じた音信号を出力する音信号出力部５４１ａ、５４１ｂと、集音部１４２に気流を送って集音部１４２を清掃するために筐体１０２とガイド部材１０７ｃとの間の空間１０９の内外を連通する通気路１１１ａを備える。
【選択図】図３【図１】
0005404879.tif 000002
【図２】
0005404879.tif 000003
【図３】
0005404879.tif 000004
【図４】
0005404879.tif 000005
【図５】
0005404879.tif 000006
【図６】
0005404879.tif 000007
【図７】
0005404879.tif 000008
【図８】
0005404879.tif 000009
【図９】
0005404879.tif 000010
【図１０】
0005404879.tif 000011
【図１１】
0005404879.tif 000012
【図１２Ａ】
0005404879.tif 000013
【図１２Ｂ】
0005404879.tif 000014
【図１３Ａ】
0005404879.tif 000015
【図１３Ｂ】
0005404879.tif 000016
【図１４】
0005404879.tif 000017